(57)【要約】【課題】カードに情報を書き込むカード発行において、カード供給部にカードのセット向きを間違った場合にも、正常な書き込みを行うためのカードの姿勢制御をコンパクトに簡便に行い、情報の正常な書き込みをするカード発行装置。【解決手段】カード供給部と、カードの進行方向とカード面法線方向と垂直な線を軸として回転可能でカードを搬送可能なカード回転機構付き搬送路と、カードからの情報読み込みやカードに情報書き込みを行うカードリーダライタ部と、カードリーダライタ部をカードの進行方向を軸として回転させるカードリーダライタ部回転機構と、カードリーダライタ部を昇降させるカードリーダライタ部昇降機構と制御部とを備え、供給されるカードの姿勢に応じて、カード回転機構付き搬送路とカードリーダライタ部回転機構とカードリーダライタ部昇降機構の動作を組み合わせて、カードを一定の姿勢にした上でカードに情報書き込みを行う。【選択図】図１
2020086927.tif 000002
【特許請求の範囲】
【請求項１】
ＩＣカードや磁気カードを供給し、情報読み込みや情報書き込み動作を行うカード発行装置であって、
カード供給部と、
カードの進行方向とカード面法線方向と垂直な線を軸として回転可能でカードを搬送可能なカード回転機構付き搬送路と、
カードからの情報読み込みやカードに情報書き込みを行うカードリーダライタ部と、
前記カードリーダライタ部をカードの進行方向を軸として回転させるカードリーダライタ部回転機構と、
前記カードリーダライタ部を昇降させるカードリーダライタ部昇降機構と、
をこの順に備え、
さらに、前記カード回転機構付き搬送路でカード搬送と回転を制御し、前記カードリーダライタ部回転機構と前記カードリーダライタ部昇降機構を制御する制御部とを備え、
前記制御部は、供給されるカードの姿勢に応じて、前記カード回転機構付き搬送路の搬送動作や回転動作と、前記カードリーダライタ部回転機構の回転動作と、前記カードリーダライタ部昇降機構による昇降動作を組み合わせて、カードを一定の姿勢にした上で前記カードリーダライタ部で、カードからの情報読み込みやカードに情報書き込みを行うことを特徴とするカード発行装置。
【発明の詳細な説明】
【技術分野】
【０００１】
本発明は、接触型ＩＣカードや磁気カードなどのカードを発行するカード発行装置に関する。
【背景技術】
【０００２】
ＩＣカードや磁気カードに情報を書き込むカードの発行において、カード供給部にカードの向きのセットを間違った場合に、カードの向きを修正して、情報を書き込み、発行可能にすることが望まれている。磁気カードにおいては、カードの姿勢を制御して、正規の位置にし、書き込み装置に送る装置が提案されている（特許文献１、２参照）。また磁気カードと非接触ＩＣカードに情報書き込みや印刷を行う際に、供給するカードが表裏が反転していれば表裏反転を行う装置が提案されている（特許文献３参照）。
【先行技術文献】
【特許文献】
【０００３】
【特許文献１】特開平１１−８５９１３号公報
【特許文献２】特開２０１６−３８８６４号公報
【特許文献３】特許第５２８７１８９号公報
【発明の概要】
【発明が解決しようとする課題】
【０００４】
特許文献１、２で示されるものにおいては、対象が磁気カードであるが、リーダライタ部へのカード搬送路の途中において、前後反転機構と表裏反転機構を設置し、カードの姿勢を制御するものであり、設置容積の拡大と、装置コストがかかっていた。この装置において対象を接触型ＩＣカードとするようにリーダライタ部の変更をおこなっても、同様に装置設計容積が大きく必要で、コストもかかった。
【０００５】
また特許文献３で示されるものは、カード前後反転機構がなく、表裏反転機構しかないため、接触型ＩＣカードや磁気カードの適正な姿勢に制御できない場合がある。
【０００６】
本発明では、接触型ＩＣカードや磁気カードに情報を書き込むカードの発行において、カード供給部にカードのセット向きを間違った場合にも、正常な書き込みを行うためのカードの姿勢制御を、コンパクトに簡便に行い、情報の正常な書き込みを実施するカード発行装置を提供することを目的とする。
【課題を解決するための手段】
【０００７】
本発明は上記課題を解決するためになされたもので、本発明の請求項１に係る発明は、ＩＣカードや磁気カードを供給し、情報読み込みや情報書き込み動作を行うカード発行装置であって、カード供給部と、カードの進行方向とカード面法線方向と垂直な線を軸として回転可能でカードを搬送可能なカード回転機構付き搬送路と、カードからの情報読み込みやカードに情報書き込みを行うカードリーダライタ部と、前記カードリーダライタ部をカードの進行方向を軸として回転させるカードリーダライタ部回転機構と、前記カードリーダライタ部を昇降させるカードリーダライタ部昇降機構と、をこの順に備え、さらに、前記カード回転機構付き搬送路でカード搬送と回転を制御し、前記カードリーダライタ部回転機構と前記カードリーダライタ部昇降機構を制御する制御部とを備え、前記制御部は、供給されるカードの姿勢に応じて、前記カード回転機構付き搬送路の搬送動作や回転動作と、前記カードリーダライタ部回転機構の回転動作と、前記カードリーダライタ部昇降機構による昇降動作を組み合わせて、カードを一定の姿勢にした上で前記カードリーダライタ部で、カードからの情報読み込みやカードに情報書き込みを行うことを特徴とするカード発行装置である。
【発明の効果】
【０００８】
接触型ＩＣカードに情報を書き込むカードの発行において、カード供給部にカードのセット向きを間違った場合にも、正常な書き込みを行うためのカードの姿勢制御を、コンパクトに簡便に行い、情報の正常な書き込みを行うことができるカード発行装置を提供できる。
【図面の簡単な説明】
【０００９】
【図１】は本発明のカード発行装置の１例の構造を示す概略図である。
【図２】接触型ＩＣカードを例にとって、カード供給部に置かれるカードの向く面を示す図である。（ａ）は表面前向きであり。（ｂ）は表面後ろ向きであり、（ｃ）は裏面後ろ向きであり、（ｄ）は裏面前向きの場合である。
【図３】は本発明のカード発行装置の接触型ＩＣリーダライタ部の昇降機構と回転機構の１例の模式的説明図である。（ａ）は側面図、（ｂ）は上面図である。
【図４】は本発明のカード発行装置の１例の動作を示すフローチャート図である。
【図５】は本発明のカード発行装置の１例の動作を示すフローチャート図である。
【図６】は本発明のカード発行装置の１例の動作を示すフローチャート図である。
【図７】は本発明のカード発行装置の１例の動作を示すフローチャート図である。
【図８】は本発明のカード発行装置の１例の動作を示すフローチャート図である。
【図９】は本発明のカード発行装置の１例の動作を示すフローチャート図である。
【図１０】は本発明のカード発行装置の１例の動作を示すフローチャート図である。
【図１１】は本発明のカード発行装置の１例の動作を示すフローチャート図である。
【発明を実施するための形態】
【００１０】
以下、本発明のカード発行装置について添付図面を参照して説明する。図１は本発明のカード発行装置の１例の構造を示す概略図である。
【００１１】
カード１０は接触型ＩＣカードとする。カード発行装置１００は、カード１０を供給するカード供給部２０と、カード回転機構付き搬送路３０と、カードから情報を読んだり、書き込みを行ったりするカードリーダライタ部４０と、カードリーダライタ部回転機構４５と、カードリーダライタ部昇降機構５０と、を備える。
【００１２】
図３は本発明のカード発行装置の接触型ＩＣリーダライタ部４０の昇降機構と回転機構の１例の模式的説明図であり、（ａ）は側面図、（ｂ）は上面図である。
【００１３】
接触型ＩＣリーダライタ部４０は上部にカード挿入口を備える。
【００１４】
接触型ＩＣリーダライタ部４０はモータ４６の軸の上にあり、回転可能である。モータ４６はケース４７の中にあり、モータ４６の軸はケース４７の軸孔を通して接触型ＩＣリーダライタ部４０下部に接続する。接触型ＩＣリーダライタ部回転機構４５はモータ４６とその軸、ケース４７からなる。
【００１５】
接触型ＩＣリーダライタ部回転機構４５の回転は、接触型ＩＣリーダライタ部４０下部に固定された軸と、モータの軸にベルトを懸架して、モータの回転をベルトに伝えて接触型ＩＣリーダライタ部４０下部軸を回転することによってもいい。ここでのモータは接触型ＩＣリーダライタ部４０下部に固定された軸の軸方向以外の軸線から離れてある。
【００１６】
接触型ＩＣリーダライタ部回転機構４５はステージ６０の上に固定されてあり、このステージ６０の下に、カードリーダライタ部昇降機構５０があり、ステージ６０を昇降する。
カードリーダライタ部昇降機構５０はステージ７０の上に固定される。カードリーダライタ部昇降機構５０はエアーシリンダで構成されてもいいし、ステージ６０一部にねじ孔をもうけ、それに勘合するボールネジ７０をたて、ボールネジの回転によってステージ６０を昇降してもよい。
【００１７】
ステージ６０が鉛直線に沿って移動するように、ガイド５１が通る穴がステージ６０にあり、そこにガイド５１が貫通している。
【００１８】
ここでは、カード１０は接触型ＩＣカードを例にとって説明する。
【００１９】
また、カードの長方形の長辺方向において先方、後方を、前後とし、短辺方向において、上下を、天地とした。
【００２０】
カード供給部２０にセットするときのカード１の取りうる姿勢を説明する。
【００２１】
図２は接触型ＩＣカードを例にとって、図１のカード供給部２０のカード面中央部垂線方向（図１中のｖ方向）から見たときのカードの面を示す図である。（ａ）は表面前向きであり。（ｂ）は表面後ろ向きであり、（ｃ）は裏面前向きであり、（ｄ）は裏面後ろ向きの場合である。
【００２２】
ＩＣ接触端子部１４を片面に持つ、接触型ＩＣカードであるカード１０であるが、表面は、ＩＣ接触端子部１４が露出する面とした。また、カードの長辺方向における前後も、図２のように決めた。
【００２３】
ＩＣ接触型ＩＣカード用リーダライタ部４０において、カードの端子に接続する接点が、図１のＩＣ接触型ＩＣカード用リーダライタ部４０の下部でa側にあり、a側が紙面左側にあるとすると、カード供給部２０においてカードの取り得るこれら４つの姿勢のうち１つの姿勢、図２（ａ）の姿勢で、セットした場合でしか、情報の読み込み、書き込みができない。
【００２４】
制御部（不図示）が、カードが正常の姿勢で、カード供給部２０の入口に配置されていなくても、カード回転機構付き搬送路３０とカードリーダライタ部回転機構４５と、カードリーダライタ部昇降機構５０を制御し、正常になるまで、カードの姿勢を制御し、正常な姿勢になった上でカードへの読み込み、書き込みを行う。
【００２５】
＜動作＞
図４から図１１は本発明のカード発行装置の１例の動作を示すフローチャート図である。カードの姿勢の状態を示すために、図１において接触型ＩＣカード用リーダライタ部４０へのカードの挿入面の垂線上にあるｗ方向からみたカード表面の模様をフローチャートの右側に模式的に示す。
【００２６】
制御部で、以下の（Ｓ１）から（Ｓ４８）で示される動作で情報書き込み、書き込みチェック、カード姿勢変更を行う。
（Ｓ１）カード供給部２０の入口に並べられたカード１０を搬送ローラ１にて装置内に搬送し、搬送ローラ２、５にて回転機構付搬送路３０へ搬送する。
（Ｓ２）回転機構付き搬送路３０内にある搬送ローラ６にカードが到達したならば搬送ローラ６にてカードを接触型ＩＣカードリーダライタ４０へ搬送する。
（Ｓ３）所定位置の接触型ＩＣリーダライタ部４０内へカード１０を挿入する。
（Ｓ４）接触型ＩＣリーダライタ部４０を回転機構付き搬送路３０に向けて上昇し、カードと接触型ＩＣカード１０を端子接続する。
（Ｓ５）接触型ＩＣカード１０と接触型ＩＣカードリーダライタ４０と通信が可能であるかチェックする。可能であるなら（Ｓ６）へ。可能でないならば（Ｓ１０）へ。
（Ｓ６）接触型ＩＣカードリーダライタ４０はカード１０に対して読み込みあるいは書き込みをおこなう。
（Ｓ７）接触型ＩＣカードリーダライタ４０は下方の所定位置に移動する。
（Ｓ８）カード１０を搬送ローラ６にて回転機構付き搬送路３０に戻す。
（Ｓ９）次工程に進む。カード発行機の接触型ＩＣカードリーダライタを使用する工程以外の工程にいく。
（Ｓ１０）カード１０が挿入されたＩＣカードリーダライタ４０を下方に移動する。カードが挿入されたＩＣカードリーダライタ４０がカード進行方向を軸に回転しても、カード１０がセンサー７に接触しない位置まで移動する。
（Ｓ１１）カード１０が挿入されたＩＣカードリーダライタ４０をカード進行方向を軸に、１８０度回転する。
（Ｓ１２）カード１０が挿入された接触型ＩＣカードリーダライタ４０を回転機構付き搬送路３０方向に移動する。
（Ｓ１３）回転機構付き搬送路３０にカード１０を戻す。
（Ｓ１４）接触型ＩＣカードリーダライタ４０をカードの進行方向を軸として１８０度回転する。
（Ｓ１５）接触型ＩＣカードリーダライタ４０にカード１０を挿入する。
（Ｓ１６）接触型ＩＣリーダライタ部４０を回転機構付き搬送路３０に向けて移動し、カードと接触型ＩＣカード１０を端子接続する。
（Ｓ１７）接触型ＩＣカード１０と接触型ＩＣカードリーダライタ４０と通信が可能であるかチェックする。可能であるなら（Ｓ１８）へ。可能でないならば（Ｓ２２）へ。
（Ｓ１８）接触型ＩＣカードリーダライタ４０はカード１０に対して読み込みあるいは書き込みをおこなう。
（Ｓ１９）接触型ＩＣカードリーダライタ４０は所定の位置に戻る。
（Ｓ２０）カード１０を搬送ローラ６にて回転機構付き搬送路３０にカード戻す。
（Ｓ２１）次工程に進む。カード発行機の接触型ＩＣカードリーダライタを使用する工程以外の工程にいく。
（Ｓ２２）カード１０が挿入されたＩＣカードリーダライタ４０を下方に移動する。カードが挿入されたＩＣカードリーダライタ４０がカード進行方向を軸に回転しても、カード１０がセンサー７に接触しない位置まで移動する。
（Ｓ２３）カード１０が挿入されたＩＣカードリーダライタ４０をカード方向進行を軸に、１８０度回転する。
（Ｓ２４）カード１０が挿入された接触型ＩＣカードリーダライタ４０を回転機構付き搬送路３０方向に移動する。
（Ｓ２５）回転機構付き搬送路３０にカード１０を格納する。
（Ｓ２６）回転機構付き搬送路３０を１８０度回転させる。
（Ｓ２７）接触型ＩＣカードリーダライタ部４０をカードの進行方向を軸として１８０度回転する。
（Ｓ２８）接触型ＩＣカードリーダライタ部４０にカード１０を挿入する。
（Ｓ２９）接触型ＩＣカード１０と接触型ＩＣカードリーダライタ４０と通信が可能であるかチェックする。可能であるなら（Ｓ３０）へ。可能でないならば（Ｓ３６）へ。
（Ｓ３０）接触型ＩＣカードリーダライタ部４０はカード１０に対して読み込みあるいは書き込みをおこなう。
（Ｓ３１）接触型ＩＣカードリーダライタ部４０を下方に移動する。
（Ｓ３２）回転機構付き搬送路３０を１８０度回転させる。
（Ｓ３３）接触型ＩＣカードリーダライタ部４０を上方へ移動する。
（Ｓ３４）カード１０を搬送ローラ６にて回転機構付き搬送路３０に戻す
（Ｓ３５）次工程に進む。カード発行機の接触型ＩＣカードリーダライタを使用する工程以外の工程にいく。
（Ｓ３６）接触型ＩＣカードリーダライタ部４０を下方に移動する。
（Ｓ３７）回転機構付き搬送路３０を１８０度回転させる。
（Ｓ３８）接触型ＩＣカードリーダライタ部４０をカード進行方向軸に１８０度回転。
（Ｓ３９）接触型ＩＣカードリーダライタ部４０を上方に移動。
（Ｓ４０）カード１０を搬送ローラ６にて回転機構付き搬送路３０に戻す。
（Ｓ４１）接触型ＩＣカードリーダライタ部４０をカード進行方向軸に１８０度回転。
（Ｓ４２）所定位置の接触型ＩＣカードリーダライタ部４０へカード１０挿入。
（Ｓ４３）接触型ＩＣリーダライタ部４０を回転機構付き搬送路３０に向けて移動し、カードと接触型ＩＣカード１０を端子接続する。
（Ｓ４４）接触型ＩＣカード１０と接触型ＩＣカードリーダライタ４０と通信が可能であるかチェックする。可能であるなら（Ｓ４５）へ。可能でないならばエラー表示。
（Ｓ４５）接触型ＩＣカードリーダライタ４０はカード１０に対して読み込みあるいは書き込みをおこなう。
（Ｓ４６）接触型ＩＣカードリーダライタ４０は下方の所定位置に移動する。
（Ｓ４７）カード１０を搬送ローラ６にて回転機構付き搬送路３０にカード戻す。
（Ｓ４８）次工程に進む。カード発行機の接触型ＩＣカードリーダライタを使用する工程以外の工程にいく。
【００２７】
以上のように、カードがカード供給部２０の入口にどの姿勢でセットされても、カード回転機構付き搬送路３０とカードリーダライタ部回転機構４５と、カードリーダライタ部昇降機構５０を制御し、正常になるまで、カードの姿勢を制御し、正常な姿勢になった上でカードへの読み込み、書き込みを行うことができる装置を提供できる。
【００２８】
磁気カードを対象とした発行の場合においても同様の装置で、情報書き込みが可能な装置や方法を提供できる。
【符号の説明】
【００２９】
１・・・搬送ローラ
２・・・搬送ローラ
３・・・センサ
４・・・センサ
５・・・搬送ローラ
６・・・搬送ローラ
７・・・センサ
１０・・・カード
１４・・・ＩＣ接触端子部
２０・・・カード供給部
３０・・・回転機構付き搬送路
４０・・・カードリーダライタ（接触型ＩＣカードあるいは磁気カード用）部
４５・・・カードリーダライタ（接触型ＩＣカードあるいは磁気カード用）部回転機構
４６・・・モータ
４７・・・ケース
５０・・・カードリーダライタ（接触型ＩＣカードあるいは磁気カード用）部昇降機構
５１・・・ガイド
６０・・・ステージ
７０・・・ステージ
１００・・・カード発行装置
ａ・・・リーダライタ側
ｂ・・・リーダライタでない側
ｖ・・・方向
ｗ・・・方向
【図１】
2020086927.tif 000003
【図２】
2020086927.tif 000004
【図３】
2020086927.tif 000005
【図４】
2020086927.tif 000006
【図５】
2020086927.tif 000007
【図６】
2020086927.tif 000008
【図７】
2020086927.tif 000009
【図８】
2020086927.tif 000010
【図９】
2020086927.tif 000011
【図１０】
2020086927.tif 000012
【図１１】
2020086927.tif 000013